(57)【要約】【課題】測定ユニットから本体に無線で測定データを送信する測定装置において、測定ユニット側で、測定データに対してコメントを簡便に付けることが可能な測定装置を提供する。【解決手段】測定データを測定する測定ユニット２と本体１とが各々無線通信部を有し、測定ユニット２から本体１に測定データを無線で送信する測定装置は、測定ユニット２が音声入力部を備えており、測定ユニット２から本体１に、各々の無線通信部による通信で、音声入力部から入力される音声信号を無線で送信可能であり、本体１が、測定データ、及び音声信号に基づく音声情報を記憶して、表示部２１に表示可能である。【選択図】図４
2014103617.tif 000002
【特許請求の範囲】
【請求項１】
測定データを測定する測定ユニットと本体とが各々無線通信部を有し、前記測定ユニットから前記本体に測定データを無線で送信する測定装置であって、
前記測定ユニットが音声入力部を備え、
前記測定ユニットから前記本体に、各々の前記無線通信部による通信で、前記音声入力部から入力される音声信号を無線で送信可能であり、
前記本体が、前記測定データを記憶する測定データ記憶部、及び、前記音声信号に基づく音声情報を記憶する第１の音声情報記憶部を備えていることを特徴とする測定装置。
【請求項２】
前記測定ユニットが、前記音声信号の無線による送信を指示するための音声送信指示部を備えることを特徴とする請求項１に記載の測定装置。
【請求項３】
前記本体が、前記音声信号を認識して文字情報に変換する音声認識部を備え、この音声認識部が変換した文字情報を前記音声情報として前記第１の音声情報記憶部に記憶させることを特徴とする請求項１又は２に記載の測定装置。
【請求項４】
前記本体が、前記測定データを表示する表示部を備え、前記文字情報を前記表示部に表示可能であることを特徴とする請求項３に記載の測定装置。
【請求項５】
前記本体が、前記音声信号を前記音声情報として前記第１の音声情報記憶部に記憶させることを特徴とする請求項１又は２に記載の測定装置。
【請求項６】
前記本体が、音声出力部を備え、前記音声情報である音声信号を再生して前記音声出力部から出力可能であることを特徴とする請求項５に記載の測定装置。
【請求項７】
前記本体が、前記測定データと対応付けが可能に、前記音声情報を出力可能な出力部を備えることを特徴とする請求項１から６のいずれかに記載の測定装置。
【請求項８】
前記本体が、音声入力部を備えると共に、この音声入力部から入力される音声信号に基づく音声情報を記憶する第２の音声情報記憶部を備えることを特徴とする請求項１から７のいずれかに記載の測定装置。
【発明の詳細な説明】
【技術分野】
【０００１】
本発明は、測定ユニットから本体に測定データを無線で送信する測定装置に関するものである。
【背景技術】
【０００２】
温度、湿度、風向、圧力、流量、照度、電気的特性、機械的特性などの測定データを測定する測定ユニットを測定対象物の位置に配置して、本体を測定者の常駐位置に配置したり測定者が持ち歩いたりして、測定ユニットから本体に無線でデータを収集する測定装置がある。このような測定装置の一例が、特許文献１に記載されている。
【０００３】
特許文献１に記載された自動検針システムは、電気、ガス等の検針データを測定して無線装置から測定データを送信するメータ装置（測定ユニット）と、送信された測定データを受信する無線装置に通信回線で繋がっている監視センタ（本体）とを備えている。
【先行技術文献】
【特許文献】
【０００４】
【特許文献１】特開２００２−１５２８５３号公報
【発明の概要】
【発明が解決しようとする課題】
【０００５】
特許文献１に記載された測定装置では、本体が測定データを収集して記録している。本体側にいる本体オペレータや、測定ユニット側にいる現地オペレータが、測定データに対してコメントを付けたい場合がある。測定データにコメントを付ける方法として、本体側の本体オペレータは、表示部に表示される測定データに対しキーなどで印（イベントマーク）を付け、キーボードで測定装置にコメントを入力することや、タッチパネルを使用して、タッチペンでコメントを入力することなど、種々の方法が考えられる。一方、測定ユニット側の現地オペレータは、測定ユニットに表示部やキーボードなどの入力装置がないので、例えば携帯電話などの通信機で本体側の測定者と通話してコメントを入力してもらったり、コメント及びその時の時刻を手書きでメモ用紙に記載して後で本体に入力したりすることが考えられるが、その作業は煩雑である。
【０００６】
本発明は前記の課題を解決するためになされたもので、測定ユニットから本体に無線で測定データを送信する測定装置において、測定ユニット側で、測定データに対してコメントを簡便に付けることが可能な測定装置を提供することを目的とする。
【課題を解決するための手段】
【０００７】
前記の目的を達成するためになされた、特許請求の範囲の請求項１に記載された測定装置は、測定データを測定する測定ユニットと本体とが各々無線通信部を有し、前記測定ユニットから前記本体に測定データを無線で送信する測定装置であって、前記測定ユニットが音声入力部を備え、前記測定ユニットから前記本体に、各々の前記無線通信部による通信で、前記音声入力部から入力される音声信号を無線で送信可能であり、前記本体が、前記測定データを記憶する測定データ記憶部、及び、前記音声信号に基づく音声情報を記憶する第１の音声情報記憶部を備えていることを特徴とする。
この音声情報は、音声信号そのものも含まれる概念である。
【０００８】
請求項２に記載された測定装置は、請求項１に記載されたものであり、前記測定ユニットが、前記音声信号の無線による送信を指示するための音声送信指示部を備えることを特徴とする。
【０００９】
請求項３に記載された測定装置は、請求項１又は２に記載されたものであり、前記本体が、前記音声信号を認識して文字情報に変換する音声認識部を備え、この音声認識部が変換した文字情報を前記音声情報として前記第１の音声情報記憶部に記憶させることを特徴とする。
【００１０】
請求項４に記載された測定装置は、請求項３に記載されたものであり、前記本体が、前記測定データを表示する表示部を備え、前記文字情報を前記表示部に表示可能であることを特徴とする。
【００１１】
請求項５に記載された測定装置は、請求項１又は２に記載されたものであり、前記本体が、前記音声信号を前記音声情報として前記第１の音声情報記憶部に記憶させることを特徴とする。
【００１２】
請求項６に記載された測定装置は、請求項５に記載されたものであり、前記本体が、音声出力部を備え、前記音声情報である音声信号を再生して前記音声出力部から出力可能であることを特徴とする。
【００１３】
請求項７に記載された測定装置は、請求項１から６のいずれかに記載されたものであり、前記本体が、前記測定データと対応付けが可能に、前記音声情報を出力可能な出力部を備えることを特徴とする。
【００１４】
請求項８に記載された測定装置は、請求項１から７のいずれかに記載されたものであり、前記本体が、音声入力部を備えると共に、この音声入力部から入力される音声信号に基づく音声情報を記憶する第２の音声情報記憶部を備えることを特徴とする。
【発明の効果】
【００１５】
測定ユニットが音声信号を無線で送信して、本体で音声情報を記憶することにより、例えば現地オペレータが通信機等で本体オペレータと通信してコメントを連絡したり、メモ用紙に記載したりする手間をかけることなく、現地オペレータがコメントを話すだけで、測定データに対して簡便にコメントを付けることができる。
【００１６】
測定ユニットが音声信号の無線による送信を指示するための音声送信指示部を備える場合、常に音声情報を記憶する場合と比較して、必要なときにだけコメントを付けることができ、第１の音声情報記憶部に記憶させるべき音声情報を少なくでき、メモリの使用効率が良くなる。
【００１７】
本体が音声信号を認識して文字情報に変換する音声認識部を備え、この音声認識部が変換した文字情報を音声情報として記憶させる場合、コメントの入力作業が簡便であると共に、コメントの確認作業を迅速かつ簡便に行うことができる。
【００１８】
本体が測定データを表示する表示部に文字情報を表示可能である場合、コメントの確認作業を一層迅速かつ簡便に行うことができる。
【００１９】
本体が音声信号を音声情報として記憶する場合、後で音声情報を聴くことでコメントを確認することができる。例えば、測定対象物が発する異音をそのままコメントとして録音するように、音声認識部が音声認識できない言語では表せないようなコメントを残すことができる。
【００２０】
本体が音声出力部を備えて音声信号を再生する場合、コメントの内容を本体で聞くことができる。
【００２１】
本体が測定データと対応付けが可能に音声情報を出力可能な出力部を備える場合、測定データに対応するコメントを参照できるので、測定データの分析を簡便に行うことができる。
【００２２】
本体が音声入力部を備え、この音声入力部から入力される音声信号に基づく音声情報を記憶する場合、本体オペレータが話すだけで、コメントを簡便に残すことができる。
【図面の簡単な説明】
【００２３】
【図１】本発明を適用する測定装置の使用状態を示す概要図である。
【図２】本発明を適用する測定装置のうちの本体のブロック図である。
【図３】本発明を適用する測定装置のうちの測定ユニットのブロック図である。
【図４】表示部に測定データ、音声情報マーク、及び音声情報を表示している状態の本体の正面図である。
【図５】測定データ及び音声情報を一覧表形式で出力した例を示す図である。
【図６】図６（ａ）は音声入力デバイス及び音声出力デバイスを着脱可能にした本体の使用状態を示す正面図であり、図６（ｂ）は音声入力デバイス及び通話指示部を着脱可能にした測定ユニットの使用状態を示す正面図である。
【発明を実施するための形態】
【００２４】
以下、本発明を実施するための形態を詳細に説明するが、本発明の範囲はこれらの形態に限定されるものではない。
【００２５】
本発明を適用する測定装置の一例を、図１に示す。この測定装置は、本体１、及び測定ユニット２（２Ａ，２Ｂ，２Ｃ）を備え、各測定ユニット２の測定した測定データを本体１に無線で送信可能に構成されている。
【００２６】
本体１には、一例として、携帯型の筐体の正面に、表示部２１、複数の操作ボタンによる操作部２２、マイク１４、及びスピーカー１７が設けられていると共に、筐体の一側面に、外部Ｉ／Ｆ（インタフェース）部２８、及びメディアスロット２９が設けられている。
【００２７】
測定ユニット２には、一例として、携帯型の小型の筐体の正面にマイク３４が配置され、一側面にコメント入力ボタン４７が配置され、他の一側面に測定用センサー８１が着脱可能に接続されている。
【００２８】
図２に、本体１のブロック図を示す。本体１は、本体制御部となるＣＰＵ（中央演算処理装置）１１、無線通信部１２、音声入力部４、音声出力部５、表示部２１、操作部２２、測定データ記憶部２３、第１の音声情報記憶部２４、第２の音声情報記憶部２５、音声認識部２６、ＲＴＣ（リアルタイムクロック）２７、及び外部Ｉ／Ｆ部２８、メディアスロット２９を備えている。又、図示しないが、本体１は、電池を電源として内蔵している。
【００２９】
ＣＰＵ１１は、プログラム記憶部（不図示）に記憶されているプログラムに従って動作して、本体１の動作を統括的に制御する。
【００３０】
無線通信部１２は、無線送信回路及び無線受信回路（不図示）を備えると共にアンテナを備え、測定条件設定用の設定データ、測定データ、音声信号等を、後述する測定ユニット２の無線通信部３２（図３参照）と無線で通信（送受信）可能なものである。無線通信部１２として、測定データ等のデータを送受信するデータ通信用の無線通信部と、音声信号を専用に送受信する音声通信用無線通信部との２つの別個の無線通信部（無線通信回路）を用いてもよいが、データと音声信号とを１つの共通の無線通信部で送受信できるものを用いたほうが、部品点数を少なくできるのでより好ましい。
【００３１】
無線通信部１２には、公知のものを用いることができる。例えば、設定データ等で変調する無線信号の変調方式（アナログ変調、デジタル変調等）、無線信号周波数、無線信号の送信出力、半複信方式か複信方式か、無線通信規格などは、適宜公知の方式から選択して用いればよい。無線通信部１２が送受信する無線信号は、電波、赤外線、又は光のいずれの無線信号であってもよいが、見通し外でも通信できることや通信距離を比較的長くできることから電波を用いることが好ましい。無線通信部１２は、ＣＰＵ１１に動作を制御される。
【００３２】
１０ｍ〜数１００ｍ程度の近距離通信を行う場合、無線通信部１２として、Ｂｌｕｅｔｏｏｔｈ（登録商標）規格に準拠したものを用いることが、特に好ましい。その理由は、Ｂｌｕｅｔｏｏｔｈ規格に準拠した小型の無線モジュールが、多くのメーカーから安価に市販されていて入手性が良く、又、使用のための免許は不要であるためである。更に、Ｂｌｕｅｔｏｏｔｈ規格には、データ通信用のプロファイル（プロトコル）、及び音声通信用のプロファイルが規定されているため、データ通信及び音声通信を同時に簡便に行うことができるためである。又、市販されているＢｌｕｅｔｏｏｔｈ規格に準拠した無線モジュールは、アンテナも内蔵しているため、装置を小型化することができる。
【００３３】
音声入力部４は、本体１側でコメントを残したいときに、音声信号を入力するための回路である。この例では、音声入力部４は、マイク１４、マイクアンプ１５、及びＡＤＣ（アナログ／デジタル変換器）１６によって構成されている。マイク１４は、音声入力デバイスの一例であり、音（音声）を電気信号に変換するためのものである。マイク１４は、音声信号を適切なレベルに増幅するマイクアンプ１５に接続されている。マイクアンプ１５の出力は、音声信号を所定サンプリング周波数でサンプリングしてデジタル信号（例えばＰＣＭ信号）に変換するＡＤＣ１６に接続されている。ＡＤＣ１６の出力はＣＰＵ１１に接続されている。
【００３４】
音声出力部５は、無線通信部１２が復調した音声信号を出力したり、録音したコメント（音声信号）を再生して出力したりするための回路である。この例では、音声出力部５は、スピーカー１７、スピーカーアンプ１８、ＤＡＣ（デジタル／アナログ変換器）１９によって構成されている。スピーカー１７は、音声出力デバイスの一例であり、音声信号を音に変換するためのものである。音声出力デバイスとして、スピーカー１７の他に、ヘッドホンや、イヤホンを用いてもよい。ＤＡＣ１９は、ＣＰＵ１１に接続されていて、ＣＰＵ１１の出力する例えばＰＣＭ信号などのデジタルの音声信号を、アナログ信号に変換する。ＤＡＣ１９の出力には、音声信号を適正なレベルに増幅するスピーカーアンプ１８が接続されている。スピーカーアンプ１８の出力は、スピーカー１７に接続されていて、音声信号を音として出力可能になっている。
【００３５】
表示部２１は、例えば液晶パネルであり、ＣＰＵ１１に制御されて、例えば測定ユニット２から受信した測定データをグラフや数値で表示したり、測定条件設定用画面を表示したりするものである。
【００３６】
操作部２２は、機能選択ボタン、数値入力ボタン、カーソルキーやキーボード、マウスなどであり、ＣＰＵ１１に接続されている。操作部２２の中には、コメントの入力を指示するためのコメント入力指示部となるコメント入力ボタン２２ａ（図４参照）が配置されている。表示部２１及び操作部２２として、タッチパネルを用いてもよい。
【００３７】
測定データ記憶部２３は、測定データを記憶するためのものである。第１の音声情報記憶部２４は、測定ユニット２から送られた音声信号に基づく音声情報（測定ユニット音声情報）を、測定データに対応付けて記憶するためのものである。第２の音声情報記憶部２５は、本体１の音声入力部４から入力された音声信号に基づく音声情報（本体音声情報）を、測定データに対応付けて記憶するためのものである。測定データ記憶部２３、第１の音声情報記憶部２４、第２の音声情報記憶部２５は、フラッシュＲＯＭやハードディスクなどの書き換え可能な不揮発性メモリである。これら記憶部２３，２４，２５は、例えばハードディスクなどの同じメモリを共用して用いてもよいし、各々別個のメモリを用いてもよい。
【００３８】
音声認識部２６は、ヒトが話した内容を、その音声（音声信号）から解析し、文字情報として出力する処理を行うものである。音声認識部２６として、公知の種々のものを用いることができる。音声認識部２６は、例えば、ＣＰＵと音声認識処理を行うための公知の音声認識用プログラムとによって実現されている。ＣＰＵはＣＰＵ１１と共用してもよいし、別個のものを用いてもよい。
【００３９】
ＲＴＣ２７は、バックアップ電源を内蔵する時計であり、現在の時刻情報を出力する回路である。時刻情報には年月日の情報も含まれている。
【００４０】
外部Ｉ／Ｆ部２８は、例えば有線又は無線によるＬＡＮ（ローカル・エリア・ネットワーク）接続用の回路やＵＳＢ（ユニバーサル・シリアル・バス）接続用の回路であり、例えばコンピュータなどの外部装置に測定データを出力するためのものである。メディアスロット２９は、ＳＤメモリカードやフレキシブルディスクなどの外部記録媒体を装着して、測定データを書き込むための回路である。
【００４１】
図３に、測定ユニット２のブロック図を示す。測定ユニット２は、測定ユニット制御部となるＣＰＵ３１、無線通信部３２、音声入力部７、測定用回路４１、及びセンサー接続用コネクタ４４、ＲＴＣ（リアルタイムクロック）４５、及びコメント入力ボタン４７を備えている。又、図示しないが、測定ユニット２は、電池を電源として内蔵している。この測定ユニット２には、測定用センサー８１が接続されて使用される。
【００４２】
ＣＰＵ３１は、プログラム記憶部（不図示）に記憶されているプログラムに従って動作して、測定ユニット２の動作を統括的に制御する。
【００４３】
無線通信部３２は、本体１の無線通信部１２と同様のものであり、本体１の無線通信部１２と、測定用の設定データ、測定データ、音声信号を、無線で通信（送受信）可能なものである。無線通信部３２は、その動作をＣＰＵ３１に制御される。無線通信部３２として、Ｂｌｕｅｔｏｏｔｈ規格に準拠したものを用いることが特に好ましい。
【００４４】
音声入力部７は、音声信号を入力するための回路であり、この例では、マイク３４、マイクアンプ３５、ＡＤＣ３６を備えている。この音声入力部７は、本体１の音声入力部４と同様のものであり、マイク３４は音声入力デバイスの一例である。測定ユニット２は小型のため、これらは本体１のものよりも小型のものを用いてもよい。同図に示すように、これらマイク３４、マイクアンプ３５、ＡＤＣ３６は、本体１の音声入力部４と同様にＣＰＵ３１に接続されている。音声入力部７から入力される音声信号は、ＣＰＵ３１を介して無線通信部３２に出力され、測定データと共に無線で送信することが可能になっている。音声入力部７は、ＣＰＵ３１を介さずに、無線通信部３２に直接接続されていてもよい。
【００４５】
測定用回路４１は、一例として測定信号を適正なレベルに増幅するための低ノイズアンプ４２、及びＡＤＣ４３を備えている。センサー接続用コネクタ４４、低ノイズアンプ４２、ＡＤＣ４３、ＣＰＵ１１の順に接続されていて、測定用センサー８１の出力する測定信号がデジタル信号に変換されてＣＰＵ３１に入力されるようになっている。測定用センサー８１は、例えば温度センサー、湿度センサー、風向センサー、圧力センサー、流量センサー、照度センサー、電気的な特性値を測定する例えば電流センサー、機械的な特性値を測定する例えば歪センサーなどである。
【００４６】
コメント入力ボタン４７は、測定ユニット２に対し、音声信号の無線による送信を指示するための音声送信指示部の一例であり、例えば押しボタン式のスイッチである。
【００４７】
ＲＴＣ４５は、バックアップ電源を内蔵する時計であり、現在の時刻情報を出力する回路である。時刻情報には年月日の情報も含まれている。
【００４８】
次に、本体１及び測定ユニット２を備える測定装置の動作について説明する。
【００４９】
先ず、図１に示すように、本体１及び測定ユニット２を、各々測定を行うための定位置に設置して、各々の電源を投入する。本体１については、測定データの監視や収集を行う位置に設置する。この例では、本体１は携帯型のため、本体オペレータが本体１を手で持ったり、載置用の台上に置いたりして設置してもよい。
【００５０】
測定ユニット２については、測定現地にいる現地オペレータが、測定対象物の近くに設置すると共に、一例として測定用センサー８１を測定対象物に取り付ける。
【００５１】
本体オペレータは、操作部２２を操作して、測定レンジやサンプリング期間などの測定ユニット２の測定条件を設定し、その設定データを、無線通信部１２（図２参照）から各測定ユニット２に無線で送信させる。続いて、各測定ユニット２に無線で測定の開始を指示する。各測定ユニット２は、無線通信部３２（図３参照）で測定の開始の指示を受信して測定を開始し、測定した測定データを無線通信部３２から無線で本体１に逐次送信する。一例として、測定装置はデータロガーであり、各測定ユニット２は測定サンプリング期間毎に測定を行い、測定データを得るごとに、測定データをリアルタイムに本体１に逐次送信する。測定サンプリング間隔等は、測定条件を任意に設定することが可能であり、測定は例えば０．００００１〜１０秒のように比較的短いサンプリング間隔で逐次測定を行ってもよく、１〜１０日毎に測定を行うように比較的長いサンプリング間隔で測定を行ってもよい。測定回数や測定期間を設定してもよい。
【００５２】
本体１は、測定ユニット２からリアルタイムに送られる測定データを受信して、表示部２１にグラフや数値で表示する。
【００５３】
測定ユニット２側にいる現地オペレータは、例えば、測定対象物の状態に何か変化が有ったり、天候や気温の変化のように周囲の環境条件が変化したりしたときに、測定データに対し、任意のコメントを付けたい（残したい）場合がある。コメントを付ける場合、現地オペレータは、測定ユニット２のコメント入力ボタン４７を手指で押しながら、マイク３４に向けて、コメントを話す。コメントを話し終わったら、現地オペレータは、コメント入力ボタン４７を離す。コメントの話し始める時と終了する時に、コメント入力ボタン４７を押すようにしてもよい。
【００５４】
図３に示す測定ユニット２のＣＰＵ３１は、測定を行っているときには、測定用回路４１から測定データを取得すると共に、その測定データの測定時刻をＲＴＣ４５から取得して、各測定データに時刻情報を付して、無線通信部３２から送信させる。
【００５５】
ＣＰＵ３１は、コメント入力ボタン４７が押されてその接点状態が例えば開から閉状態になると、直ちに、ＲＴＣ４５から時刻情報をコメント開始時刻として取得する。そして、コメント開始時刻を無線通信部３２に最初に送信させてから、音声入力部７が順次出力する音声信号を、無線通信部３２からリアルタイムに送信させる。ＣＰＵ３１は、コメント入力ボタン４７から手指が離されて、その接点状態が例えば閉から開状態になると、無線通信部３２からの音声信号の送信を終了させる。ＣＰＵ３１は、コメント入力ボタン４７から手指が離されたコメント停止時刻をＲＴＣ４５から取得して、無線通信部３２から送信させるようにしてもよい。
【００５６】
ＣＰＵ３１は、例えば無線通信部３２から測定データをリアルタイムに送信させているときに、コメント入力ボタン４７が押された場合には、測定データと共に音声信号を送信させる。ＣＰＵ３１は、測定データの測定開始前や測定終了後、又は測定サンプリング間隔が長くてちょうど測定を行っていない場合のように、無線通信部３２から測定データを送信させていないときに、コメント入力ボタン４７が押された場合には、音声信号だけをリアルタイムで送信させる。音声信号を送信させている途中に、測定データを得たときは、ＣＰＵ３１は、音声信号と共に測定データも送信させる。このように、測定ユニット２は、測定データの送信と音声信号の送信とを、各々独立的に自在に行うことができることが好ましい。つまり、測定データの有無にかかわらず、任意の時に音声信号を送信できることが好ましい。
【００５７】
なお、測定ユニット２が、音声信号及びコメント開始時刻を記憶する記憶部（不図示）を備えて、音声信号及びコメント開始時刻を一時的に記憶しておき、測定データを送信する時に、測定データと一緒に音声信号及びコメント開始時刻を送信するようにしてもよい。
【００５８】
コメント入力ボタン４７が押されているときにだけ、つまりコメントの送信動作を行うときにだけ、音声入力部７に電源を供給することが、低消費電力化の観点から好ましい。
【００５９】
図２に示す本体１は、測定ユニット２から送信される測定データや音声信号を、無線通信部１２によって受信する。ＣＰＵ１１は、受信した測定データを、測定時刻と共に測定データ記憶部２３に順次記憶させる。
【００６０】
ＣＰＵ１１は、音声信号を受信したときに、その音声信号を音声認識部２６に出力して、文字情報に変換させる。ＣＰＵ１１は、変換された文字情報を、コメント開始時刻と共に第１の音声情報記憶部２４に順次記憶させる。この文字情報が、本発明における音声信号に基づく音声情報の一例に相当する。
【００６１】
音声認識部２６は、測定装置が用いられる国の言語だけを認識可能なものであってもよいが、例えば、日本語、英語、ドイツ語、フランス語、中国語、韓国語などの複数の言語を認識可能なものであることが好ましい。
【００６２】
又、ＣＰＵ１１は、受信した音声信号を、コメント開始時刻と共に第１の音声情報記憶部２４に順次記憶させることが好ましい。この場合、音声信号そのものが、音声信号に基づく音声情報に相当する。ＣＰＵ１１は、音声信号を圧縮処理して、データ量を小さくしてから第１の音声情報記憶部２４に記憶させてもよい。又、ＣＰＵ１１は、受信した音声信号を、音声出力部５から出力させてもよい。音声出力部５から出力させる場合には、本体オペレータはリアルタイムに現地オペレータのコメントを聞くことができるので、より好ましい。
【００６３】
コメント開始時刻は、音声情報を測定データに対応付けるために第１の音声情報記憶部２４に記憶させている。音声信号を測定データと対応付けることで、後でコメントがどの時点の測定データに対して付けられたものであるかを、ＣＰＵ１１が判別したり、オペレータが認識したりすることができるため好ましい。なお、本体１が、測定ユニット２から音声情報を受信したときに、コメント開始時刻として本体１のＲＴＣ２７から時刻情報を読み込むようにしてもよい。又、本体１が、測定ユニット２から音声情報を受信したときに、そのときに測定データも受信していれば、その測定データの測定時刻をコメント開始時刻としてもよい。又、コメント開始時刻を用いずに、音声信号を測定データに直接対応付けてもよい。例えば、本体１が音声情報を受信し始めた時に、同時に又は直近に受信した測定データの管理番号に、その音声情報を対応付けるようにしてもよい。又、測定ユニット２が、測定データに管理番号を付して送信し、音声情報にも対応する測定データの管理番号を付して送信して、音声情報と測定データとを対応付けるようにしてもよい。
【００６４】
なお、上記のように、音声情報を、測定データに対応付けて記憶させることが好ましいが、音声情報を測定データに対応付けることなく、第１の音声情報記憶部２４に記憶させてもよい。つまり、少なくとも音声情報だけを記録できればよい。この場合、後で測定データとの対応付けが判るように、現地オペレータは、コメントの中に、現在時刻を話して音声で含めればよい。
【００６５】
本体１は、図１に示すように、複数の測定ユニット２から測定データを受信する場合、何れの測定ユニット２から送信された測定データ及び音声情報であるかを識別可能に、各測定データを測定データ記憶部２３に記憶させると共に各音声情報を第１の音声情報記憶部に記憶させる。本体１が、複数回、音声信号を受信したときは、各々を識別可能に、第１の音声情報記憶部に記憶させる。
【００６６】
また、本体１でも測定データに対するコメントを付けられるようにすることが好ましい。
【００６７】
本体１でコメントを付ける場合、本体オペレータは、コメントを付けたい測定データを選択して、操作部２２の中のコメント入力ボタン２２ａ（図４参照）を押して、マイク１４に向かってコメントを話す。コメントを話し終わったら、コメント入力ボタン２２ａを離す。
【００６８】
図２に示すＣＰＵ１１は、コメント入力ボタン２２ａが押されたときに、ＲＴＣ２７から現在時刻を取得して、コメント開始時刻とする。ＣＰＵ１１は、コメント入力ボタン２２ａが押されたときから音声入力部４が出力する音声信号を、音声認識部２６に出力して、文字情報（音声情報の一例）に変換させる。ＣＰＵ１１は、本体１の音声情報であることを識別可能に、選択した測定データに対応付けて、コメント開始時刻を第２の音声情報記憶部２５に記憶させてから、文字情報を順次、第２の音声情報記憶部２５に記憶させる。ＣＰＵ１１は、コメント入力ボタン２２ａが離されたときに、文字情報を第２の音声情報記憶部２５に記憶させることを停止する。
【００６９】
又、ＣＰＵ１１は、音声入力部４から入力される音声信号を、音声情報として、選択した測定データに対応付けて、コメント開始時刻と共に第２の音声情報記憶部２５に順次記憶させることが好ましい。ＣＰＵ１１は、音声信号を圧縮処理して記憶させてもよい。
【００７０】
本体１（ＣＰＵ１１）は、測定ユニット２から送られる音声情報や、本体１で入力される音声情報を文字情報に変換するときにだけ、音声認識部２６に電源を供給することが、低消費電力化の観点から好ましい。又、ＣＰＵ１１は、コメント入力ボタン２２ａが押されているときにだけ、音声入力部４に電源を供給することが、低消費電力化の観点から好ましい。
【００７１】
図４に示すように、一例として、ＣＰＵ１１は、各測定ユニット２から受信した測定データを、表示部２１に、リアルタイムにグラフで表示させたり、測定終了後に測定データ記憶部２３から読み込んで表示させたりする。この例では、グラフＡ、Ｂ，Ｃは、それぞれ測定ユニット２Ａ、２Ｂ，２Ｃ（図１参照）が測定した測定データを表している。ＣＰＵ１１は、音声情報があることを示す識別表示Ａ１，Ａ２，Ｂ１，Ｂ２，Ｃ１，Ｃ２を、各グラフＡ，Ｂ，Ｃに表示させることが好ましい。これら各識別表示Ａ１〜Ｃ２は、それらのコメント開始時刻の位置に表示させることがより好ましい。一例として、逆三角形の識別表示Ａ１、Ｂ１，Ｂ２，Ｃ１，Ｃ２は、各測定ユニット２Ａ，２Ｂ，２Ｃによって付けられたコメントであることを示し、菱形の識別表示Ａ２は、本体１で付けられたコメントであることを示している。このように、コメントが、測定ユニット２で付けられたものか、本体１で付けられたものかを識別可能に表示することが、より好ましい。本体１で特定の測定データが選択されてコメントを付けられた場合には、その特定の測定データの位置に識別表示Ａ２を表示させることが好ましい。
【００７２】
同図には、一例として、本体オペレータにより操作部２２が操作されて、例えば識別表示Ａ１が選択された例を示している。ＣＰＵ１１は、選択された識別表示Ａ１を、識別可能に、色を変えて表示させる。識別表示Ａ１が選択されると、ＣＰＵ１１は、識別表示Ａ１に対応する文字情報を、第１の音声情報記憶部から読み込んで、表示部２１に表示させる。この例では、識別表示Ａ１の示す時刻に、現地オペレータが測定データに対し「警告灯が光った」というコメントを付したことを示している。又、ＣＰＵ１１は、識別表示Ａ１に対応する音声信号（音声情報）を読み込んで、音声出力部５から「警告灯が光った」という音声を再生して出力させることが好ましい。
【００７３】
本体１で付けられたコメントに対応する識別表示Ａ２が選択されたときには、ＣＰＵ１１は、識別表示Ａ２に対応する文字情報を、第２の音声情報記憶部から読み込んで、表示部２１に表示させると共に、音声信号を読み込んで、音声出力部５から音声を再生して出力させる。
【００７４】
操作部２２の操作により、他の識別表示Ｂ１〜Ｃ２を選択したときも、識別表示Ａ１を選択したときと同様に、ＣＰＵ１１は、各々の識別表示Ｂ１〜Ｃ２に対応する文字情報を表示部２１に表示させると共に、スピーカー１７から出力させる。表示部２１に、識別表示Ａ１〜Ｃ２のうちの選択した複数の文字情報を表示させるようにしてもよい。又、文字情報、及び音声信号のいずれか一方だけを切り替えて出力できるようにしてもよい。
【００７５】
さらに、第１の音声情報記憶部２４及び第２の音声情報記憶部２５に記憶されているコメントの文字情報や音声信号を、測定データと対応付けが可能に、外部Ｉ／Ｆ部２８やメディアスロット２９から外部に出力可能であることが好ましい。
【００７６】
図５に、外部Ｉ／Ｆ部２８やメディアスロット２９から外部出力する測定データやコメントの文字情報の例を示す。同図では、測定時刻として表示した例えば「12_0123_1020_45_01」は、最初の「12」が年号２０１２年の下２桁を表し、次の「0123」が「01」月「23」日のように月日を表し、次の「1020」が「10」時「20」分のように時間と分を表し、次の「45_01」が「45」秒「01」のように小数点以下を含む秒を表している。
【００７７】
同図に示すように、測定時刻、測定データ、及びコメントの文字情報を例えば一覧表形式で出力可能にすることで、外部のコンピュータでも、コメントを測定データに対応付けて確認、処理することができる。同図のコメントは、図４に示した識別表示Ａ１〜Ｃ２に対応するコメントの一例である。なお、同図Ａ列の下から３行目に示すように、一例として、例えばコメントに「本体：」のように付けることで、本体１で付けたコメントを識別可能にすることが好ましい。他のコメントは、Ａ列が測定ユニット２Ａ、Ｂ列が測定ユニット２Ｂ、Ｃ列が測定ユニット２Ｃで付けられたコメントであることが、識別可能になっている。この例では、各コメントを、コメント開始時刻に相当する測定データのコメント欄に記載するようにしているが、各コメントにコメントの開始時刻や終了時刻を付けて記載してもよい。又、コメントを話している時間が長くなる場合もあるので、コメントの話し始めの時刻から、話し終わった時刻までのコメント欄を一つ結合して、結合した一つのコメント欄にコメント文字情報を記載するようにしてもよい。
【００７８】
又、測定開始前に付したコメントは、測定データよりも前に行を設けて記載し、測定開始後に付したコメントは、測定データよりも後に行を設けて記載する。測定サンプリング間隔が広くて、コメント開始時間に相当する測定時刻がない場合、コメント開始時刻の行を追加して設け、測定データを空欄にして、コメントだけを記載してもよい。又、必要性に応じて、測定中にだけ、音声情報を記憶できるようにしてもよい。これは、特に、時系列で波形や測定値を測定する場合に、環境や機器の変動等についてコメントを追加したい場合が多いためである。
【００７９】
又、同図に示す表を表示部２１に表示可能にしてもよい。又、表示部２１に文字情報のコメントを表示して、コメントを編集したり、追加や削除したりできるようにしてもよい。外部Ｉ／Ｆ部２８やメディアスロット２９から音声情報として音声信号を出力するときは、例えば音声信号のファイル名に時刻情報を入れることで、測定データと対応付けを行えるようにしてもよい。
【００８０】
このように、測定データに対し現地オペレータや本体オペレータがコメントを付けることができ、後からコメントを確認することができる。
【００８１】
なお、コメントを表す音声情報として、音声認識した文字情報、及び音声信号の両方を本体１が記憶する例について説明したが、何れか一方だけを記憶するようにしてもよい。音声信号だけを記憶する場合、音声認識部２６を省略してもよい。
【００８２】
なお、本体１が音声入力部４にマイク１４を備える構成について説明したが、マイク１４に換えて、又はマイク１４と共に、音声入力部４にマイクを着脱自在に取り付け可能な音声信号入力コネクタを備える構成であってもよい。音声信号入力コネクタは、例えば、マイクの接続ケーブルの先のプラグが挿入可能なジャックである。又、本体１が音声出力部５にスピーカー１７を有する構成について説明したが、スピーカー１７に換えて、又はスピーカー１７と共に、音声出力部５にスピーカー、ヘッドホン、イヤホンなどの音声出力デバイスを着脱自在に取り付け可能な音声信号出力コネクタを備える構成であってもよい。音声信号出力コネクタは、例えば、ヘッドホンやイヤホンの接続ケーブルの先のプラグが挿入可能なジャックである。又、コメント入力ボタン２２ａを、着脱可能にコネクタで取り付けられるようになっていてもよい。
【００８３】
同様に、測定ユニット２が音声入力部７にマイク３４を備える構成について説明したが、マイク３４に換えて、又はマイク３４と共に、音声入力部７にマイクを着脱自在に取り付け可能な音声信号入力コネクタを備える構成であってもよい。又、測定ユニット２が、本体１にコメント入力ボタン２２ａを備える構成について説明したが、コメント入力ボタン２２ａを着脱自在に取り付け可能なコネクタを備える構成であってもよい。
【００８４】
具体例を示すと、図６（ａ）に示す本体１ａは、筐体内にマイク１４及びスピーカー１７を設ける代わりに、ヘッドホン型のヘッドセット５０を着脱可能に取り付けるためのコネクタ（ジャック）５３が備えられている例を示している。コネクタ５３は、音声信号入力コネクタ及び音声信号出力コネクタを兼ねている。同図に示すヘッドセット５０は、マイク１４ａ及びヘッドホン用スピーカー１７ａを本体オペレータ１０１の頭部に装着するための公知のものである。このマイク１４ａ及びヘッドホン用スピーカー１７ａに電気的に繋がるケーブル５１の先端にコネクタ（プラグ）５２が設けられている。ヘッドセット５０のコネクタ５２を、本体１ａのコネクタ５３に接続して使用する。本体１ａの筐体内にマイク１４及び／又はスピーカー１７を設けると共に、更にコネクタ５３を設けて、ヘッドセット５０を取り付けられるようにしてもよい。この場合、ヘッドセット５０の接続を優先して切り替えるようにすることが好ましい。又、マイク１４ａ及びヘッドホン用スピーカー１７ａのいずれか一方を、コネクタ接続できるようにして、他方を筐体内に備えるようにしてもよい。
【００８５】
図６（ｂ）に示す測定ユニット２ａは、筐体内にマイク３４及びコメント入力ボタン４７を設ける代わりに、マイクユニット６０を着脱可能に取り付けるためのコネクタ（ジャック）６３が備えられている例を示している。コネクタ６３は、音声信号入力コネクタと、コメント入力ボタン４７ａの接点信号を入力するためのコネクタを兼ねている。同図に示すマイクユニット６０は、マイク３４ａ及びコメント入力ボタン４７ａを現地オペレータ１０２が手指１０２ａで持って使用するためのものであり、ケーブル６１の先端に設けられたコネクタ（プラグ）６２を、コネクタ６３に接続して使用する。マイク３４及びコメント入力ボタン４７のいずれか一方を着脱可能にしてもよい。測定ユニット２ａの筐体内にマイク３４やコメント入力ボタン４７を設けると共に、更にコネクタ６３を設けて、マイクユニット６０を取り付けられるようにしてもよい。この場合、マイクユニット６０の接続を優先して切り替えるようにすることが好ましい。マイクユニット６０は、ピンマイクのように、現地オペレータの衣服に取り付け可能なクリップを備えるものであってもよい。
【００８６】
このように、ヘッドセット５０やマイクユニット６０を用いることで、本体１ａにマイク１４やスピーカー１７を設けたり、測定ユニット２ａに、マイク１４やコメント入力ボタン４７を設けたりすることを省略できる。特に、測定ユニット２ａは、小型の筐体であるので、部品点数を少なくできる効果は大きい。
【００８７】
又、通話指示部として、本体１（１ａ）や測定ユニット２（２ａ）に音声検知部を設けてもよい。例えば、本体１等に、マイク１４から入力される音声信号が所定レベル以上であるか否かを検知する音声検知部を設け、音声信号が所定レベル以上のときに通話動作を開始するようにしてもよい。
【００８８】
又、測定ユニット２として、センサー接続用コネクタ４４に測定用センサー８１が着脱可能に接続されて使用される例を示したが、測定ユニット２に測定用センサー８１のケーブルが着脱不能に接続されていてもよく、測定ユニット２内に測定用センサー８１が内蔵されていてもよい。又、例えば測定ユニット２が電圧値を測定する場合、センサー接続用コネクタ４４が測定用プローブを接続するためのＢＮＣ型コネクタであってもよく、一対の銅線を有する端子台であってもよい。測定ユニット２を複数備えていてもよい。
【００８９】
又、本体１と測定ユニット２とを着脱可能に結合して、一体型の測定装置としても使用できるし、分離型の測定装置としても使用できるようにしてもよい。さらに、一つの筐体内に、測定データを測定するための測定部や表示部等を全て備えた分離不能な一体型の測定装置が、筐体に音声入力部、音声情報記録部、音声認識部を備えて、コメントを文字情報や音声信号で記録して、コメントを表示部に表示したり、外部に出力したりできるようにしてもよい。
【符号の説明】
【００９０】
１・１ａは本体、２・２ａ・２Ａ・２Ｂ・２Ｃは測定ユニット、４は音声入力部、５は音声出力部、７は音声入力部、１１はＣＰＵ、１２は無線通信部、１４・１４ａはマイク、１５はマイクアンプ、１６はＡＤＣ、１７はスピーカー、１７ａはヘッドホン用スピーカー、１８はスピーカーアンプ、１９はＤＡＣ、２１は表示部、２２は操作部、２２ａはコメント入力ボタン、２３は測定データ記憶部、２４は第１の音声情報記憶部、２５は第２の音声情報記憶部、２６は音声認識部、２７はＲＴＣ、２８は外部Ｉ／Ｆ部、２９はメディアスロット、３１はＣＰＵ、３２は無線通信部、３４・３４ａはマイク、３５はマイクアンプ、３６はＡＤＣ、４１は測定用回路、４２は低ノイズアンプ、４３はＡＤＣ、４４はセンサー接続用コネクタ、４５はＲＴＣ、４７・４７ａはコメント入力ボタン、５０はヘッドセット、５１はケーブル、５２・５３はコネクタ、６０はマイクユニット、６１はケーブル、６２・６３はコネクタ、８１は測定用センサー、１０１は本体オペレータ、１０２は現地オペレータ、１０２ａは現地オペレータの手指、Ａ１・Ａ２・Ｂ１・Ｂ２・Ｃ１・Ｃ２は識別表示である。
【図１】
2014103617.tif 000003
【図２】
2014103617.tif 000004
【図３】
2014103617.tif 000005
【図４】
2014103617.tif 000006
【図５】
2014103617.tif 000007
【図６】
2014103617.tif 000008